(57)【要約】【課題】分包紙等の紙葉類を分包機に装着するだけで、分包紙の各種データ等を容易に得ることできる分包機を提供すること。【解決手段】芯管４７に帯状の紙葉類４８が巻回されたロール体４１を回転自在に支持し、ロール体４１を回転させて紙葉類４８を繰り出し、紙葉類４８に被包装体を単位量毎に小分けして包装する分包機であって、ロール体４１に設けられた被検知体５０と、被検知体５０を検知する検知器４２とを備えている分包機を提供する【選択図】      図２
2004248752.tif 000002
【特許請求の範囲】
【請求項１】
芯管に帯状の紙葉類が巻回されたロール体を回転自在に支持し、前記ロール体を回転させて前記紙葉類を繰り出し、該紙葉類に被包装体を単位量毎に小分けして包装する分包機であって、
前記ロール体に設けられた被検知体と、
該被検知体を検知する検知器とを備えていることを特徴とする分包機。
【請求項２】
請求項１記載の分包機において、
前記被検知体がデータを読み書き可能なＩＣチップを有する非接触タグとされ、
前記検知器が該非接触タグと交信して前記ＩＣチップにデータを読み書きするリーダライタであることを特徴とする分包機。
【請求項３】
請求項１記載の分包機において、
前記被検知体がデータを読み取り可能なＩＣチップを有する非接触タグとされ、
前記検知器が該非接触タグと交信して前記ＩＣチップからデータを読み取るリーダであることを特徴とする分包機。
【請求項４】
請求項２又は３記載の分包機において、
前記芯管が内周面及び外周面を有する筒状に形成されており、該内周面及び該外周面の間に前記非接触タグが埋設されていることを特徴とする分包機。
【請求項５】
請求項２又は３記載の分包機において、
前記芯管が内周面及び外周面を有する筒状に形成されており、該外周面の周面に前記非接触タグが取り付けられると共に、前記紙葉類が該非接触タグの一端に取り付けられた状態で前記芯管に巻回されており、該紙葉類が全て繰り出されたときに、該非接触タグが破壊されることを特徴とする分包機。
【請求項６】
請求項２又は３記載の分包機において、
前記芯管が両側に開口部を有する筒状に形成されており、該芯管の内側で且つ該芯管の一端側開口部に向けて前記非接触タグが取り付けられると共に、該芯管の一端側開口部の近傍に前記リーダライタ又は前記リーダが配設されていることを特徴とする分包機。
【発明の詳細な説明】
【０００１】
【発明の属する技術分野】
本発明は、薬剤等を単位量毎に小分けして紙葉類に包装する分包機に関する。
【０００２】
【従来の技術】
周知のように、病院、医院等の医療機関で診察を受け、薬剤等を貰う際に、薬剤は、その種類、１回分の服用量といったように単位量毎に分けて専用の分包紙（紙葉類）に分包されている。このような分包紙は、円筒状の芯管にロール状に巻回されたロール紙として製品化され、薬局等の使用者に供給されている。使用者は、このロール紙を分包機等の専用装置に装着し、必要な長さ分だけ引き出しながら必要な種類、量の薬剤を分包している。この種の分包機は、様々なものが提供されており、また各機種毎にロール紙を取り付ける取付軸の寸法も異なっている。これに対して、ロール紙の芯管は概ね共通寸法であることに着目し、一台の分包機で各種のロール紙を共通して使用できるような分包紙の装着機構を備えた分包機が知られている（特許文献１参照）。
【０００３】
【特許文献１】
特開２００１−１５１３９１号公報（段落番号００１８−００４４、第１−７図）
【０００４】
【発明が解決しようとする課題】
ところで、上記従来の分包機においては、共通のロール紙が使用できるとはいえ、ロール紙の交換は人手によって行うので、途中でロール紙の種類を変更したい時などは、今まで使用していた分包紙の種類、残数、使用期限の各種データ等を記録しておく必要がある。また、新たなロール紙を装着する際に、記録しておいたデータ等と照らし合わせる必要があった。また、データ等が紛失してしまった場合には、再度ロール紙の状況を調べる必要があり、ロール紙を交換する毎にロール紙の確認作業に手間がかかるといった問題があった。
【０００５】
この発明は、このような事情を考慮してなされたもので、その目的は、分包紙等の紙葉類を分包機に装着するだけで、分包紙の各種データ等を容易に得ることができる分包機を提供することである。
【０００６】
【課題を解決するための手段】
上記の目的を達成するために、この発明は以下の手段を提供している。
請求項１に係る発明は、芯管に帯状の紙葉類が巻回されたロール体を回転自在に支持し、前記ロール体を回転させて前記紙葉類を繰り出し、該紙葉類に被包装体を単位量毎に小分けして包装する分包機であって、前記ロール体に設けられた被検知体と、該被検知体を検知する検知器とを備えていることを特徴とするものである。
【０００７】
この発明に係る分包機においては、ロール体に被検知体が設けられているので、ロール体を分包機に取り付けた後、検知器にて容易に検知することができる。即ち、被検知体を有する適切なロール体が、分包機に確実に取り付けられたことを容易に認識することができる。つまり、被包装体の種類等に対応して被検知体を予め識別しておけば、ロール体を分包機に取り付けただけで、ロール体（紙葉類も含む）の種類等を容易に認識することができる。従って、従来のようにロール体を分包機に取り付ける毎にロール体を確認することが不要となり、容易にかつ確実に適切なロール体を使用することができる。
【０００８】
請求項２に係る発明は、請求項１記載の分包機において、前記被検知体がデータを読み書き可能なＩＣチップを有する非接触タグとされ、前記検知器が該非接触タグと交信して前記ＩＣチップにデータを読み書きするリーダライタであることを特徴とするものである。
【０００９】
この発明に係る分包機においては、被検知体がＩＣチップを有する非接触タグなので、ロール体の紙葉類の各種データ、例えば、紙葉類の種類、製造年月日、有効期限、巻回長さ等をＩＣチップに記憶させることができる。従って、被包装体の種類等に対応した紙葉類をより確実に使用することができるので、ロール体の誤使用を防止することができる。
また、紙葉類の巻回長さや有効期限等も容易に確認することができるので、ロール体の在庫管理等の容易化を図ることができる。
また、上記各種データをリーダライタを介して非接触タグに書き込むこともできるので、途中でロール体を交換した場合でも、対応することができる。
更に、非接触タグのＩＣチップに各種データを読み書きさせる際、リーダライタと非接触状態で交信して行うことができるので、リーダライタの取付構成を複雑にすることなく容易にできるので、低コスト化を図ることができる。
【００１０】
請求項３に係る発明は、請求項１記載の分包機において、前記被検知体がデータを読み取り可能なＩＣチップを有する非接触タグとされ、前記検知器が該非接触タグと交信して前記ＩＣチップからデータを読み取るリーダであることを特徴とするものである。
【００１１】
この発明に係る分包機においては、ロール体の紙葉類の各種データ、例えば、紙葉類の種類、製造年月日、有効期限、巻回長さ等をＩＣチップに記憶させることができる。従って、被包装体の種類等に対応した紙葉類をより確実に使用することができるので、ロール体の誤使用を防止することができる。
また、紙葉類の巻回長さや有効期限等も容易に確認することができるので、ロール体の在庫管理等の容易化を図ることができる。
更に、非接触タグ及びリーダは、読み取り専用なので、構成が容易となり低コスト化を図ることができる。また、リーダと非接触状態で交信して行うことができることからも、リーダの取付構成を複雑にすることなく容易にできるので、低コスト化を図ることができる。
【００１２】
請求項４に係る発明は、請求項２又は３記載の分包機において、前記芯管が内周面及び外周面を有する筒状に形成されており、該内周面及び該外周面の間に前記非接触タグが埋設されていることを特徴とするものである。
【００１３】
この発明に係る分包機においては、紙葉類を全て使用した場合、芯管を回収して埋設された非接触タグのＩＣチップのデータを再書き込み（リライト）又は初期化すると共に新たな紙葉類を巻くことにより、新規のロール体として容易に再使用できるので製造コストを軽減することができる。
また、非接触タグが芯管に埋設されているので、外部からの影響を受けにくく、また固定が確実であるため非接触タグのＩＣチップへの読み書きを適切に安定して行うことができる。
【００１４】
請求項５に係る発明は、請求項２又は３記載の分包機において、前記芯管が内周面及び外周面を有する筒状に形成されており、該外周面の周面に前記非接触タグが取り付けられると共に、前記紙葉類が該非接触タグの一端に取り付けられた状態で前記芯管に巻回されており、該紙葉類が全て繰り出されたときに、該非接触タグが破壊されることを特徴とするものである。
【００１５】
この発明に係る分包機においては、非接触タグは、芯管の外周面の周面に取り付けるだけの構成であるので、取り付けにあたり加工等が不要で容易に構成できるので製造コストを低減させることができる。また、紙葉類を全て使用した際に、非接触タグが破壊されるので、芯管を回収して仮に新たな紙葉類を巻回し、分包機に取り付けたとしても、検知器が非接触タグを検知しない。即ち、非接触タグが取り付けられていないロール体は使用できないので、被包装体にあった適切な紙葉類を安全に使用することができる。
【００１６】
請求項６に係る発明は、請求項２又は３記載の分包機において、前記芯管が両側に開口部を有する筒状に形成されており、該芯管の内側で且つ該芯管の一端側開口部に向けて前記非接触タグが取り付けられると共に、該芯管の一端側開口部の近傍に前記リーダライタ又は前記リーダが配設されていることを特徴とするものである。
【００１７】
この発明に係る分包機においては、紙葉類を全て使用した場合、芯管を回収して芯管の内側に取り付けられた非接触タグのＩＣチップのデータを再書き込み（リライト）又は初期化すると共に新たな紙葉類を巻くことにより、新規のロール体として容易に再使用できるので製造コストを軽減することができる。
また、非接触タグは、芯管の内側で且つ一端側開口部に向けて取り付けられていると共に、リーダライタ又はリーダが該芯管の一端側開口部の近傍に取り付けられているので、非接触タグとリーダライタ又はリーダとが障害物がない状態で直接的に交信することができる。従って、交信の確実性を向上させることができる。
更に、リーダライタ又はリーダが芯管の一端側開口部の近傍に取り付けられているので、非接触タグとリーダライタ又はリーダとの交信距離を短くすることができる。このことからも交信の確実性を向上させることができる。更には、交信距離の短い安価な非接触タグを使用することができるので、製造コストを低減させることができる。
【００１８】
【発明の実施の形態】
以下、本発明の一実施形態について図１から図４を参照して説明する。
図１に示す薬剤分包機１（分包機）は、散薬供給部１０、錠剤供給部２０、集合部３０及び包装部４０をカバー２で覆われたケーシング３内に備えている。
散薬供給部１０は、環状溝１１を有し、水平面内で等速回転するターンテーブル１２、ターンテーブル１２の環状溝１１に向けて図示しない散薬（被包装体）を落下させて供給する散薬供給ホッパ１３、１４、ターンテーブル１２の環状溝１１に供給された散薬を掻き落とす掻落部１５を備えている。散薬供給ホッパ１３、１４の下部には、加振器１６が取り付けられている。この加振器１６は、両ホッパ１３、１４を振動させることにより、両ホッパ１３、１４からターンテーブル１２の環状溝１１に対して連続的に微小な散薬を落下させて、環状溝１１に散薬を均一に供給する機能を有している。
【００１９】
錠剤供給部２０は、カバー２に形成された投入口２１、駆動部２２、錠剤ホッパ２３、搬送部２４を備えている。駆動部２２は、駆動用ホイール２２ａ、従動ホイール２２ｂ、無端ベルト２２ｃを有しており、両ホイール２２ａ、２２ｂに無端ベルト２２ｃが巻回されている。この無端ベルト２２ｃの上面が、従動ホイール２２ｂから駆動ホイール２２ａに向けて移動するように、駆動ホイール２２ａは図示しない駆動源により駆動される。錠剤ホッパ２３は、駆動ホイール２２ａに隣接した位置に配されており、その上端には入口２３ａが形成され、下端は搬送部２４に連結されている。この搬送部２４は、下面に図示しない出口が形成されている。
【００２０】
集合部３０は、集合ホッパ３１、シュート３２を備えており、集合ホッパ３１は、搬送部２４の出口の下方に位置すると共に、掻落部１５の下方に位置するように配されている。即ち、集合ホッパ３１は、散薬と錠剤Ａ（被包装体）とを合流するように取り付けられている。また、集合ホッパ３１の下部は、シュート３２に連結され、このシュート３２の下端は、開口が設けられ散薬及び錠剤を落下可能な構成とされている。
【００２１】
包装部４０は、ロール紙４１（ロール体）、リーダライタ４２（検知器）及び袋とじ機４３を備えている。ここで、図２に示すように、ロール紙４１は、プラスチック等の材料で円筒状に形成され、内周面４４、外周面４５及び端面４６を有する紙巻管４７（芯管）に帯状の薬剤分包紙４８（紙葉類）がロール状に巻回された構成とされている。このロール紙４１は、紙巻管４７を介してケーシング３内の図示しない紙巻管取付軸に回転自在に取り付けられると共に、図１に示すように薬剤分包紙４８の一端を引き出して取り付けられている。また、引き出した薬剤分包紙４８は、シュート３２の下面及び袋とじ機４３の内部を順次通って取り付けられている。
【００２２】
また、図２に示すように、紙巻管４７の内周面４４と外周面４５との間には、スティック状の非接触タグ５０（被検知体）が紙巻管４７の軸方向で、かつ一端部が端面４６と同一面に位置するよう埋設されている。この非接触タグ５０は、内部に図示しない読み書き可能なＩＣチップ及びアンテナを有している。また、リーダライタ４２は、紙巻管４７の端面４６から微小な間隔を有して隣接配置さており、図示しない取付架台を介してケーシング３内に取り付けられている。このリーダライタ４２は、例えば１２５ＫＨｚ帯の電磁波を利用して非接触タグ５０に交信し、非接触タグ５０の内部のＩＣチップにアクセスして、データ等を読み書きする機能を有している。
【００２３】
また、図３に示すように、薬剤分包機１は、散薬供給部１０、錠剤供給部２０及び分包部４０を総合的に制御している制御部６０を備えている。この制御部６０は、リーダライタ４２を介して非接触タグ４７からのデータ等が入力されることにより、制御機能が作動するよう予め設定されていると共に、各種データ等をリーダライタ４２に入力する機能を有している。また、制御部６０は、制御卓６１と接続されており、制御卓６１の図示しない入力部から入力された入力信号に基づいて制御される。更に、制御部６０の作動状況等は、制御卓６１の図示しない表示部に表示される。
【００２４】
このように構成された薬剤分包機１は、図４に示すフローチャートのように作動する。最初に、制御卓６１の入力部に設けた図示しないスイッチを操作して電源を入れる（ステップＳ１）。電源が入ると、制御部６０に予め記憶されたプログラムに基づきリーダライタ４２は、紙巻管４７に埋設された非接触タグ５０内部のＩＣチップにアクセスして、内部データの読み取りを開始する（ステップＳ２）。次いで、制御部６０は、読み取り内容を判断し（ステップ３）、例えば、紙巻管４７に非接触タグ５０が埋設されていなかったＮＯの場合は、リーダライタ４２がＩＣチップの内部データを読み取ることができないので、表示部にエラー表示すると共に、制御部６０に読み取り結果が入力されず薬剤分包機１は作動しない状態となる（ステップＳ４）。
【００２５】
一方、リーダライタ４２が非接触タグ５０の内部データを読み取ったＹＥＳの場合は、その旨が制御部６０に入力されると共に、薬剤分包紙４１の紙の種類、残包数、有効期限等の各種データを確認する（ステップＳ５）。また、必要であれば、操作卓６１の入力部の操作により、これら各種データを表示部に表示させる（ステップＳ６）。この際、非接触タグ５０のデータが残包数“０”を示している場合は、表示部にその旨が表示されると共に、エラーを表示させる。更に、制御部６０のプログラムにより薬剤分包機１は作動しない状態となる。この場合については、後に詳しく記述する。
【００２６】
次いで、制御部６０が作動可能になったことを確認後、オペレータが制御卓６１の入力を介して、散薬、錠剤Ａ等の薬剤の処方情報を入力すると共に、散薬供給部１０の散薬供給ホッパ１３、１４及び錠剤供給部２０の投入口２１に必要な散薬、錠剤を供給する。この処方情報に基づいて、制御部６０が、散薬供給部１０、錠剤供給部２０及び分包部４０を制御して、散薬及び錠剤を薬剤分包紙４８に必要な単位量毎に小分けして包装する。即ち、散薬供給ホッパ１３、１４に供給された散薬は、加振器１６によりターンテーブル１２の環状溝１１に落下する。次いで、散薬は、ターンテーブル１２が所定角度回転し、掻落部１５により集合ホッパ３１に落下する。また、同時に投入口２１から投入された錠剤Ａは、駆動ホイール２２ａの駆動により無端ベルト２２ｃの上面が錠剤ホッパ２３に向けて移動するので、錠剤Ａは無端ベルト２２ｃと共に移動する。無端ベルト２２ｃの端部まで移動した錠剤Ａは、錠剤ホッパ２３の入口２３ａから内部に落下し、搬送部２４を介して集合ホッパ３１に落下する。
【００２７】
集合ホッパ３１内で合流した散薬及び錠剤Ａは、共にシュート３２を介して薬剤分包紙４８に単位量毎に落下する。この落下に合わせて、ロール紙４１が回転して薬剤分包紙４８が繰り出される。即ち、散薬及び錠剤Ａは、薬剤分包紙４８上に落下すると薬剤分包紙４８が移動するので、小分けされた状態となる。次いで、小分けされた散薬及び錠剤Ａは、薬剤分包紙４８と共に移動して袋とじ機４３にて単位量毎に包装される。また、薬剤分包紙４８が一枚毎繰り出されると共に、制御部６０により薬剤分包紙４８の残包数が計算され、必要ならば操作卓６１の表示部に表示される（ステップＳ７）。また同時に、リーダライタ４２を介して、薬剤分包紙４８の残包数等のデータを非接触タグ５０のＩＣチップに書き込む（ステップＳ８）。
【００２８】
また、薬剤分包紙４８を全て使用し、薬剤分包紙４８が無くなった場合は、薬剤分包紙４８の残包数“０”の表示が操作卓６１の表示部に表示されると共に、リーダライタ４２を介して非接触タグ５０に書き込まれる。この残包数“０”が書き込まれた非接触タグ５０を有する紙巻管４７に、仮に新たな薬剤分包紙４８を巻回し、再度利用しようとしても、初期のデータ読み取り時点において判別するので、制御部６０は作動しない。また、操作卓６１の表示部にその旨を表示して、注意を喚起する。即ち、薬剤分包紙４８の誤使用を防止するため、非接触タグ５０のデータを新たに書き込み（リライト）しない限り、再度使用されることが防止される（ステップＳ９）。また、薬剤分包紙４８を途中で交換し、後日再び使用する場合は、初期のデータ読み取り時点で、残包数等の各種データが読み取られるので、オぺレータは容易に残包数等を把握することが可能になる。
【００２９】
この薬剤分包機１においては、ロール紙４１を取り付けた際に、非接触タグ５０のＩＣチップから薬剤分包紙４８の紙の種類、使用期限、残包数の各種データを読み取ることができるので、オペレータは従来のように薬剤分包紙４８を使用する毎に各種データを調べる必要がなく、容易にかつ確実に操作卓６１の表示部等で確認することができる。従って、薬剤分包紙４８の誤使用等を防止することができると共に、在庫管理の容易化を図ることができる。
また、非接触タグ５０が取り付けられていないロール紙４１を使用した場合や、残包数“０”が書き込まれた非接触タグを有する紙巻管４７に、仮に新たな薬剤分包紙４８を巻回した場合は、エラー表示となって薬剤を包装することができない。即ち、非接触タグ５０のデータが適切に確認されない限り、薬剤分包紙４８を使用することができないことからも、薬剤分包紙４８の誤使用等を防止することができる。
【００３０】
また、非接触タグ５０のＩＣチップに残包数を書き込むことができるので、薬剤分包紙４８を交換して再度使用した場合でも、確実に残包数を確認することができる。
更に、薬剤分包紙４８を全て使用した後、紙巻管４７を回収して埋設された非接触タグ５０の内部データを再書き込み（リライト）し、新たな薬剤分包紙４８を巻回することにより容易に再使用できるので、製造コストを軽減することができる。
更には、非接触タグ５０が紙巻管４７に埋設されているので、外力を受けにくく、また取付固定が確実でるあるため内部データへの読み書きを適切に安定して行うことができる。
【００３１】
次に、本発明の第二の実施形態を、図５から図８を参照して説明する。本実施形態に示す薬剤分包機１００は、図１から図５に示す薬剤分包機１と基本的構成は同一であるが、薬剤分包機１では、リーダライタ４２が非接触タグ５０のＩＣチップに各種データを読み書き可能な機能を有していたが、本実施形態では、非接触タグのＩＣチップから読み取りだけを行う点が異なっている。なお、薬剤分包機１の構成要素と同一の部分については、同一の符号を付しその説明を省略する。
【００３２】
図５に示す薬剤分包機１００の包装部１１０は、ロール紙４１、ライタ１２０（検知器）及び袋とじ機４３を備えている。ここで、図６に示すように、紙巻管４７の外周面４５の周面には、ラベル状の非接触タグ１３０（被検知体）が周面方向に接着されていると共に、非接触タグ１３０の一端に薬剤分包紙４８が取り付けられた状態で紙巻管４６に巻回されている。即ち、薬剤分包紙４８は、非接触タグ１３０を介して紙巻管４６に巻回されている。この非接触タグ１３０は、内部に図示しない読み取り専用のＩＣチップ及びアンテナを有している。また、非接触タグ１３０は、ラベル状の破れやすいもので、一旦破れた場合は、内部のＩＣチップが破壊される。
また、ライタ１２０は、図５に示すように紙巻管４７の端面４６から微小な間隔を有して隣接配置さており、図示しない取付架台を介してケーシング３内に取り付けられている。このライタ４２は、例えば１２５ＫＨｚ帯の電磁波を利用して非接触タグ１３０に交信し、非接触タグ１３０の内部のＩＣチップにアクセスして、データ等を読み取りする機能を有している。
【００３３】
この薬剤分包機１００は、図８に示すフローチャートのように作動する。最初に、制御卓６１の入力部に設けた図示しないスイッチを操作して電源を入れる（ステップＳ１０）。電源が入ると、制御部６０に予め記憶されたプログラムに基づき、ライタ１２０は、紙巻管４７に接着された非接触タグ１３０内部のＩＣチップにアクセスして、内部データの読み取りを開始する（ステップＳ１１）。次いで、制御部６０は、読み取り内容を判断し（ステップＳ１２）、例えば、紙巻管４７に非接触タグ７０が接着されていなかったＮＯの場合は、ライタ１２０がデータを読み取ることができず、表示部にエラーを表示すると共に、制御部６０に読み取り結果が入力されず薬剤分包機１００は作動しない状態となる（ステップＳ１３）。
【００３４】
一方、リーダライタ１２０が非接触タグ１３０のデータを読み取ったＹＥＳの場合は、その旨が制御部６０に入力されると共に、薬剤分包紙４８の紙の種類、有効期限等の各種データを確認する（ステップＳ１４）。また、必要であれば、操作卓６１の入力部の操作により、これら各種データを表示部に表示させる（ステップＳ１５）。次いで、制御部６０が作動可能になったことを確認後、前述した薬剤分包機１と同様に、オペレータが制御卓６１の入力部を介して、薬剤の処方情報を入力して、所定単位量の散薬及び錠剤Ａを薬剤分包紙４８で包装する（ステップＳ１６）。この際、薬剤分包紙４８が一枚毎繰り出されると共に、制御部６０により薬剤分包紙４８の残包数が計算され、必要ならば操作卓６１の表示部に表示させる。
【００３５】
また、薬剤分包紙４８が最後まで使用された場合、薬剤分包紙４８の終端部が非接触タグ１３０の一端に接着されているので、薬剤分包紙４８は、非接触タグ１３０を剥がすように繰り出される。これにより、非接触タグ１３０は、図７に示すように、紙巻管４７の外周面４５から引きちぎられるように剥離する。即ち、非接触タグ１３０は、破れた状態となる。従って、非接触タグ７０内部のＩＣチップが自動的に自己破壊する（ステップＳ１７）。この際、制御部６０は、薬剤分包紙４８の残包数“０”の表示を操作卓６１の表示部に表示させる。従って、この非接触タグ１３０が自己破壊した紙巻管４７に、仮に新たな薬剤分包紙４８を巻回し、再度利用しようとしても、初期のデータ読み取り時点において非接触タグ１３０のＩＣチップにアクセスできないので、操作卓６１の表示部にエラーが表示されると共に制御部６０が作動しない状態となる。
また、薬剤分包紙４８を途中で交換し、後日再び使用する場合は、初期のデータ読み取り時点で、紙の種類、使用期限等の各種データが読み取られる。
【００３６】
この薬剤分包機１００においては、非接触タグ１３０は、紙巻管４７の外周面４５に接着するだけで取り付けることができるので、容易に構成でき製造コストを低減させることができる。また、薬剤分包紙４８を全て使用した際に、非接触タグ１３０が破壊されるので、紙巻管４７を回収して仮に新たな薬剤包紙４８を巻回し、薬剤分包機１００に取り付けたとしても、リーダ１２０が非接触タグ１３０を検知しない。即ち、非接触タグ１３０が取り付けられていないロール紙４１は使用できないので、散薬及び錠剤Ａにあった適切な薬剤分包紙４８を安全に使用することができる。
【００３７】
次に、本発明の第三の実施形態を、図９、図１０を参照して説明する。この実施形態においては、第一実施形態における構成要素と同一の部分については、同一の符号を付しその説明を省略する。
本実施形態と第一実施形態の異なる点は、第一実施形態では、非接触タグ５０が紙巻管４７の内周面４４と外周面４５との間に埋設された構成であるのに対し、本実施形態では、紙巻管４７の内側で且つ紙巻管４７の一端側開口部に向けて非接触タグ１４０（被検知体）が取り付けられている点が異なっている。
【００３８】
即ち、図９、図１０に示すように、紙巻管４７の内側で且つ紙巻管４７の一端側には、プラスチック等の材料で形成された円板１５０が取り付けられている。この円板１５０には、紙巻管４７の一端側開口部に向かう平面上にカード状の非接触タグ１４０が取り付けられている。また、紙巻管４７の一端側開口部の近傍には、リーダライタ４２が配設されている。なお、リーダライタ４２は、例えば、１３．５ＭＨｚ帯の電磁波を利用して被接触タグ１４０に交信し、非接触タグ１４０内部のＩＣチップにアクセスして、データ等の読み書きを行うことができる。
【００３９】
本実施形態においては、第一実施形態と同様の作用効果を得ることに加え、次の作用効果を得ることができる。即ち、非接触タグ１４０は、紙巻管１５０の内側で且つ一端側開口部に向けて取り付けられていると共に、リーダライタ４２が紙巻管１４０の一端側開口部の近傍に取り付けられているので、非接触タグ１４０とリーダライタ４２とが障害物がない状態で直接的に交信することができ、交信の確実性を向上させることができる。また、非接触タグ１４０とリーダライタ４２との交信距離を短くすることができることからも、交信の確実性を向上させることができる。更には、１３．５ＭＨｚ帯の周波数のような交信距離の短い安価な非接触タグ１４０を使用することができるので、製造コストを低減させることができる。
なお、上述した実施形態において、読み書き可能な非接触タグ１４０とリーダライタ４２とを組み合わせた構成としたが、読み取り専用の非接触タグとリーダを組み合わせた構成としても良い。この読み取り専用の非接触タグは、薬剤分包紙を全て使用した後、紙巻管を回収して例えば、製造工場でＩＣチップのデータを初期化することにより再使用することができる。
【００４０】
なお、本発明の技術範囲は、上記実施の形態に限られるものではなく、本発明の趣旨を逸脱しない範囲において種々の変更を加えることが可能である。
また、上述した各実施形態において、非接触タグ５０、１３０、１４０及びリーダライタ４２、リーダ１２０を使用したが、これに限られるものではなく、互いに検知しあう被検知体、検知器を用いる構成であれば良い。例えば、バーコードのようなＩＣチップを有しない被検知体、及び赤外線等により該被検知体を認識する検知器で構成しても良い。
また、被検知体は、薬剤分包紙及び紙巻管からなるロール紙に取り付けられ、検知器によって検知される構成とされていれば良い。
更に、これらリーダライタ４２及びリーダ１２０と、非接触タグ５０及び１３０、１４０の内部のＩＣチップとの交信（アクセス）方法として、周波数１２５ｋＨｚ帯、１３．５ＭＨｚ帯の電磁波を利用した電磁誘導方式としたが、これらの周波数に限られるものではない。また、電磁誘導方式に限られず、例えば、コイルの相互誘電を利用した電磁結合方式や、光の空間伝送を利用した光方式や、２．４５ＧＨｚ帯等のマイクロ波を利用したマイクロ波方式等でも良い。
更には、非接触タグ５０、１３０は、スティック状、ラベル状、カード状の形状に限られず、例えば、コイン状、ディスク状でも良い。
更には、紙葉類として薬剤分包紙４８を使用したが、これに限られるものではない。
【００４１】
【発明の効果】
以上説明したように、本発明によれば、ロール体に被検知体が設けられているので、ロール体を分包機に取り付けた後、検知器にて容易に検知することができる。即ち、被包装体の種類等に対応して被検知体を予め識別しておけば、ロール体を分包機に取り付けただけで、ロール体（紙葉類も含む）の種類等を容易に認識することができる。従って、従来のようにロール体を分包機に取り付ける毎にロール体を確認することが不要となり、容易にかつ確実に適切なロール体を使用することができる。
【図面の簡単な説明】
【図１】本発明に係る薬剤分包機の一実施形態を示す斜視図である。
【図２】図１に示す薬剤分包機のロール紙及びリーダライタを拡大した斜視図である。
【図３】図１に示す薬剤分包機の主要構成部品のブロック図である。
【図４】図１に示す薬剤分包機を作動させた際のフローチャートである。
【図５】本発明に係る薬剤分包機の第二実施形態を示す斜視図である。
【図６】図５に示す薬剤分包機のロール紙の側面図であって、薬剤分包紙の使用前の状態を示す図である。
【図７】図６に示すロール紙の薬剤分包紙を全て使用した状態を示す図である。
【図８】図５に示す薬剤分包機を作動させた際のフローチャートである。
【図９】本発明に係る薬剤分包機の第三実施形態を示す図であって、非接触非タグの取付状態を示すロール紙及びリーダライタを拡大した斜視図である。
【図１０】図９に示すロール紙の側方断面図である。
【符号の説明】
Ａ    錠剤（被包装体）
１、１００    薬剤分包機（分包機）
４１    ロール紙（ロール体）
４２    リーダライタ（検知器）
５０、１３０、１４０    非接触タグ（被検知体）
４７    紙巻管（芯管）
４８    薬剤分包機（紙葉類）
１２０    リーダ（検知器）
【図１】
2004248752.tif 000003
【図２】
2004248752.tif 000004
【図３】
2004248752.tif 000005
【図４】
2004248752.tif 000006
【図５】
2004248752.tif 000007
【図６】
2004248752.tif 000008
【図７】
2004248752.tif 000009
【図８】
2004248752.tif 000010
【図９】
2004248752.tif 000011
【図１０】
2004248752.tif 000012